Podtech/llm-jp-corpus-v4-ja_patent huggingface dataset:
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
弁装置であって、
弁体の回転動作によって開閉される弁であって、全閉状態を含む第１の動作範囲における前記回転動作の必要トルクが、前記第１の動作範囲よりも弁開度が大きい第２の動作範囲における前記回転動作の必要トルクよりも大きい、弁と、
前記弁を駆動する直流モータと、を備える弁装置。
【請求項２】
請求項１記載の弁装置であって、さらに、
前記直流モータに電流を供給する回路に設けられ、前記直流モータが連続運転可能な電流値より大きい所定値以上の電流が流れた場合に前記直流モータへの電流の供給を遮断する電流遮断部を備え、
前記弁装置は、前記連続運転可能な電流値より大きく、かつ前記所定値より小さい電流値の電流を前記直流モータに供給できるように構成されている、弁装置。
【請求項３】
請求項１または２記載の弁装置であって、
前記弁は偏心構造弁である、弁装置。
【請求項４】
請求項１または２記載の弁装置であって、
前記弁は蝶型弁である、弁装置。
【請求項５】
請求項１から４のいずれか１項に記載の弁装置であって、さらに、
外部から交流電力の供給を受けて、前記直流モータに供給すべき直流電力に変換する、Ａ／Ｄ変換器を備える、弁装置。
【請求項６】
請求項１から５のいずれか１項に記載の弁装置であって、さらに、
前記直流モータに供給すべき電力を蓄えることができる電池を備える、弁装置。
【請求項７】
請求項１から６のいずれか１項に記載の弁装置であって、さらに、
前記弁体を収容し、内部を流体が流通する弁体収容部と、
前記弁体収容部を貫通して前記弁体に接続され、前記直流モータからの駆動力を受けて前記弁体を回転させる回転軸と、
前記弁体収容部と前記回転軸との間に間隙が設けられるように、前記弁体収容部の外部において前記回転軸を支持する軸支持部と、
前記間隙において前記回転軸を囲むように配され、前記弁体収容部からの前記流体の漏出を防止するシール部材と、
前記軸支持部と前記回転軸との間において前記回転軸を囲むように配されたすべり軸受けと、を備える、弁装置。
【請求項８】
請求項２に従属する請求項７記載の弁装置であって、さらに、
回転速度を低減しトルクを増大させて、前記直流モータの回転出力を前記回転軸に伝える伝達機構と、
前記直流モータと、前記電流遮断部を含む前記直流モータを駆動させるための回路と、前記回転軸の一部と、を収容し、防水性を有する保護ケースと、を備える、弁装置。
【請求項９】
請求項８記載の弁装置であって、
前記保護ケースは、
前記保護ケースの内部と前記保護ケースの外部との間で空気を流通させることができ、かつ、液体の水を流通させない通気部を備える、弁装置。
【請求項１０】
請求項８または９記載の弁装置であって、
前記保護ケースは、防食塗料が塗られている、弁装置。
【手続補正書】
【提出日】平成28年4月26日(2016.4.26)
【手続補正１】
【補正対象書類名】明細書
【補正対象項目名】００１２
【補正方法】変更
【補正の内容】
【００１２】
【図１】図３のＡ−Ａ線の方向から見た断面図である。
【図２】図３のＢ−Ｂ線の方向から見た部分断面図である。
【図３】給油ユニットの図１のＸ１−Ｘ１線の断面図である。
【図４】給油ユニットの電源部の一例を示す拡大断面図である。
【図５】給油ユニットの電源部の一例を示す拡大断面図である。
【図６】給油ユニットの電源部の一例を示す拡大断面図である。
【図７】給油ユニットの電源部の一例を示す拡大断面図である。
【図８】制御部の詳細ブロック図である。
【図９】（ａ）（ｂ）は振動波にて情報を伝える通信装置の一例を示す概略図であり、（ａ）は振動前の状態、（ｂ）は振動後の状態を示している。
【図１０】振動波にて情報を伝える通信装置を設けた例を示す概略図である。
【図１１】振動波にて情報を伝える通信装置を複数設けた例を示す概略図である。
【図１２】工作機械の主軸にこの発明の給油ユニットを設置した例を示す概略図である。
【手続補正２】
【補正対象書類名】明細書
【補正対象項目名】００４６
【補正方法】変更
【補正の内容】
【００４６】
図１０では波形発生装置７６が発生した周波数に従い振動波発生装置７０を駆動させ、任意の周波数を持つ振動波Ａを発生させている。この振動波Ａは、振動波伝達媒体７４を通じて振動波検出器７７まで伝搬される。振動波検出器７７は、振動波Ａを電気信号に変換する。Ｂは検出波形を示している。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
テキスト列から選択される修正対象テキストに対して、前記修正対象テキストの一側に位置する第１のテキストに基づいて複数の変更候補テキストを特定する変更候補テキスト特定部と、
前記修正対象テキストの他側に位置する第２のテキストに基づいて前記複数の変更候補テキストから一部の変更候補テキストを選出する変更テキスト選出部と、
を備える、情報処理装置。
【請求項２】
前記第１のテキストは、前記テキスト列において前記修正対象テキストの前方に位置し、
前記第２のテキストは、前記テキスト列において前記修正対象テキストの後方に位置する、請求項１に記載の情報処理装置。
【請求項３】
前記変更テキスト選出部は、前記第２のテキストが前記複数の変更候補テキストの各々の後ろに連結することの評価値に基づいて前記複数の変更候補テキストの中から一部の変更候補テキストを選出する、請求項２に記載の情報処理装置。
【請求項４】
前記変更候補テキスト特定部は、前記第１のテキストの後ろに連結することの評価値の高い順に所定の数以下の変更候補テキストを特定する、請求項３に記載の情報処理装置。
【請求項５】
前記変更テキスト選出部は、さらに、前記複数の変更候補テキストの各々が前記第１のテキストの後ろに連結することの評価値に基づいて前記複数の変更候補テキストの中から一部の変更候補テキストを選出する、請求項３または４に記載の情報処理装置。
【請求項６】
前記変更テキスト選出部は、前記複数の変更候補テキストの各々が前記第１のテキストの後ろに連結することの評価値と、前記第２のテキストが前記複数の変更候補テキストの各々の後ろに連結することの評価値との和に基づいて、前記複数の変更候補テキストの中から一部の変更候補テキストを選出する、請求項５に記載の情報処理装置。
【請求項７】
前記変更テキスト選出部は、前記複数の変更候補テキストの各々が前記第１のテキストの後ろに連結することの評価値と、前記第２のテキストが前記複数の変更候補テキストの各々の後ろに連結することの評価値との積に基づいて、前記複数の変更候補テキストの中から一部の変更候補テキストを選出する、請求項５に記載の情報処理装置。
【請求項８】
変更候補テキスト特定部は、前記修正対象テキストと発音が一致する部分のあるテキストを前記変更候補テキストとして特定する、請求項１〜７のいずれか一項に記載の情報処理装置。
【請求項９】
前記情報処理装置は、前記変更テキスト選出部により選出された変更候補テキストの中から前記修正対象テキストに差し替える変更候補テキストを利用者が選択するための表示を表示画面に表示させる出力制御部をさらに備える、請求項１〜８のいずれか一項に記載の情報処理装置。
【請求項１０】
前記変更候補テキスト特定部は、利用者により選択される文法の種別に基づいて前記修正対象テキストから変換可能な複数の第２の変更候補テキストをさらに特定し、
前記出力制御部は、前記複数の第２の変更候補テキストを前記表示画面にさらに表示させる、請求項９に記載の情報処理装置。
【請求項１１】
前記情報処理装置は、前記テキスト列から入力誤りの可能性が高いテキストを抽出する修正対象テキスト選択部をさらに備え、
前記出力制御部は、前記修正対象テキスト選択部により抽出されたテキストの表示態様を他のテキストと異ならせて前記表示画面に表示させる、請求項９または１０に記載の情報処理装置。
【請求項１２】
前記情報処理装置は、利用者の発声に基づいて前記テキスト列から前記修正対象テキストを選択する修正対象テキスト選択部と、
利用者の発声に基づいて、前記変更テキスト選出部により選出された変更候補テキストの中から前記修正対象テキストに差し替える変更候補テキストを決定する差し替えテキスト決定部と、をさらに備える、請求項１〜１０のいずれか一項に記載の情報処理装置。
【請求項１３】
前記テキストは、単語である、請求項１〜１２のいずれか一項に記載の情報処理装置。
【請求項１４】
テキスト列から選択される修正対象テキストに対して、前記修正対象テキストの一側に位置する第１のテキストに基づいて複数の変更候補テキストを特定するステップと、
前記修正対象テキストの他側に位置する第２のテキストに基づいて前記複数の変更候補テキストから一部の変更候補テキストを選出するステップと、
を備える、情報処理方法。
【請求項１５】
コンピュータを、
テキスト列から選択される修正対象テキストに対して、前記修正対象テキストの一側に位置する第１のテキストに基づいて複数の変更候補テキストを特定する変更候補テキスト特定部と、
前記修正対象テキストの他側に位置する第２のテキストに基づいて前記複数の変更候補テキストから一部の変更候補テキストを選出する変更テキスト選出部、
として機能させるための、プログラム。
【手続補正２】
【補正対象書類名】明細書
【補正対象項目名】００１２
【補正方法】変更
【補正の内容】
【００１２】
以下に添付図面を参照しながら、本開示の好適な実施の形態について詳細に説明する。本開示は、一例として「２．本開示の実施形態の詳細な説明」において詳細に説明するように、多様な形態で実施され得る。また、以下に示す項目順序に従って当該「発明を実施するための形態」を説明する。
１．情報処理装置の基本構成
１−１．概要
１−２．本開示の比較例
１−３．ハードウェア構成
２．本開示の実施形態の詳細な説明
２−１．構成
２−２．動作
２−３．効果
３．変形例
【手続補正３】
【補正対象書類名】明細書
【補正対象項目名】００５３
【補正方法】変更
【補正の内容】
【００５３】
また、変更テキスト選出部１０４は、複数の変更候補テキストの各々が前方テキストの後ろに連結することの評価値（つまり、スコアＡ）と、後方テキストが複数の変更候補テキストの各々の後ろに連結することの評価値（つまり、スコアＢ）との積に基づいて、複数の変更候補テキストの中から一部の変更候補テキストを選出することも可能である。例えば、図８に示した例では、スコアＡとスコアＢとの積の値が高い順は“ｈａｖｅ”（０．０８０％）、“ｗａｎｔ”（０．０２０％）、“ｓａｖｅ”（０．００４％）の順番であるので、変更候補テキスト特定部１０２は、“ｈａｖｅ”、“ｗａｎｔ”、“ｓａｖｅ”の順に、所定の数以下の変更候補テキストを選出してもよい。
【手続補正書】
【提出日】平成28年4月22日(2016.4.22)
【手続補正１】
【補正対象書類名】明細書
【補正対象項目名】００１２
【補正方法】変更
【補正の内容】
【００１２】
図２は、図１に示したクライアント端末１０１のハードウェア構成を示すブロック図である。本例は、クライアント端末が文書情報を処理する情報処理装置として機能させる例を示す。
図２において、２０２はＣＰＵ（Ｃｅｎｔｒａｌ  Ｐｒｏｃｅｓｓｉｎｇ  Ｕｎｉｔ）で、システムバス２０１に接続される後述するデバイスを制御して情報処理を行う。ＣＰＵ２０２は、ハードディスク装置（ＨＤＤ）２０５に格納されているアプリケーションプログラム、ＯＳ等を実行し、ＲＡＭ（Ｒａｎｄｏｍ  Ａｃｃｅｓｓ  Ｍｅｍｏｒｙ）２０３にプログラムの実行に必要な情報、ファイル等を一時的に格納する制御を行う。
２０４はＲＯＭ（Ｒｅａｄ  Ｏｎｌｙ  Ｍｅｍｏｒｙ）で、内部には、基本Ｉ／Ｏプログラム等の各種データを記憶する。ＲＡＭ２０３は一時記憶手段であり、ＣＰＵ２０２の主メモリ、ワークエリア等として機能する。
ＨＤＤ２０５は外部記憶手段の一つであり、大容量メモリとして機能し、オフィスアプリケーションやＷｅｂブラウザー等のアプリケーションプログラム、オペレーティングシステム（ＯＳ）、関連プログラム等を格納している。ディスプレイ２０６は表示手段であり、キーボード２０７から入力したコマンド等を表示したりするものである。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
結着樹脂、着色剤、第１のワックス及び第２のワックスを含有するトナー粒子を有するトナーであって、
前記結着樹脂は、結晶構造を取り得るポリエステル構造部分を有する樹脂Ａを含有し、前記結晶構造を取り得るポリエステル構造部分は、前記結着樹脂中に、結着樹脂の質量を基準として３０．０質量％以上含有されており、
前記第１のワックスは、４官能以上のエステルワックスであって、分子量が１５００以上であり、
前記第２のワックスは、分子量が１０００以下の炭化水素系ワックスであり、
示差走査熱量計（ＤＳＣ）を用いた吸熱量の測定において、前記結着樹脂を試料としたときの最大吸熱ピークのピーク温度をＴｃ（℃）、前記第１のワックスを試料としたときの最大吸熱ピークのピーク温度をＴｗ１（℃）、前記第２のワックスを試料としたときの最大吸熱ピークのピーク温度をＴｗ２（℃）としたとき、前記Ｔｃ、Ｔｗ１、Ｔｗ２が、
式（１）  ５０．０≦Ｔｃ≦８０．０
式（２）  Ｔｃ＜Ｔｗ１≦Ｔｗ２
の関係を満たし、
前記結着樹脂１００．０質量部に対する、前記第１のワックス含有量をＷ１（質量部）、前記第２のワックスの含有量をＷ２（質量部）としたとき、前記Ｗ１及びＷ２が、
式（３）  ２．０≦Ｗ１＋Ｗ２≦１５．０
式（４）  ０．１≦Ｗ２／Ｗ１≦１．０
の関係を満たすことを特徴とするトナー。
【請求項２】
前記Ｔｗ１及びＴｃが、
式（５）  ６０．０≦Ｔｗ１≦８５．０
式（６）  ５．０≦Ｔｗ１−Ｔｃ≦２５．０
の関係を満たすことを特徴とする請求項１に記載のトナー。
【請求項３】
前記Ｔｗ１及びＴｗ２が、
式（７）  ０≦Ｔｗ２−Ｔｗ１≦２０．０
の関係を満たすことを特徴とする請求項１または２に記載のトナー。
【請求項４】
前記Ｔｗ１及びＴｗ２が、
式（８）  ０≦Ｔｗ２−Ｔｗ１≦６．０
の関係を満たすことを特徴とする請求項３に記載のトナー。
【請求項５】
前記樹脂Ａは、結晶構造を取り得る部位と結晶構造を取り得ない部位を、化学的に結合したブロックポリマーであることを特徴とする請求項１乃至４のいずれか一項に記載のトナー。
【請求項６】
前記結晶構造を取り得る部位が結晶性ポリエステルであり、前記結晶構造を取り得ない部位がポリウレタンであることを特徴とする請求項５に記載のトナー。
【請求項７】
前記ブロックポリマーは、前記結晶構造を取り得る部位を、３０．０質量％以上、９０．０質量％以下含有することを特徴とする請求項５又は６に記載のトナー。
【請求項８】
請求項１乃至７のいずれか一項に記載のトナーの製造方法であって、
（ｉ）前記結着樹脂、前記着色剤、前記第１のワックス及び前記第２のワックスを、前記結着樹脂を溶解可能な有機溶媒中に添加して樹脂溶解物を得る工程、
（ｉｉ）前記樹脂溶解物を、樹脂微粒子を分散させた超臨界状態または液体状態の二酸化炭素を主成分とする分散媒体中に分散させ、分散媒体中にて造粒を行い、液滴粒子を形成する工程、および
（ｉｉｉ）前記液滴粒子から前記有機溶媒を除去する工程、
を経て、前記トナー粒子を製造することを特徴とするトナーの製造方法。
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
物体側から順に、正の屈折力の第１レンズ群G1、負の屈折力の第２レンズ群G2、正の屈折力の第３レンズ群G3、それに続く1つ以上のレンズ群を含む後群を有し、各レンズ群を移動させて変倍を行う、
以下の条件式（１）及び（４）を満たすことを特徴するズームレンズ。
条件式（１）      5.4≦(tanω)2×F1／(−F2)≦15
但し、
ω：広角端における半画角
Ｆ１：第1レンズ群の焦点距離
Ｆ２：第2レンズ群の焦点距離
条件式（４）      0.45≦(tanω)2×LBw／LSw≦1.2
但し、
LBｗ：広角端における最も像面側のレンズ面から像面までの距離
LSｗ：最も物体側レンズ面から絞りまでの距離
【請求項２】
さらに、以下の条件式を満たすことを特徴する請求項１に記載のズームレンズ。
条件式（２）      13≦((tanω)2×Ft)／D1≦30
但し、
Ft：望遠端における、レンズ系の焦点距離
D1：第１レンズ群の厚さ
【請求項３】
前記ズームレンズは、ズーム変倍比をZ、とするとき、以下の条件式を満足することを特徴する請求項１〜２のいずれか一項に記載のズームレンズ。
条件式（３）      6.7≦(tanω)2×Z×LBｗ／LSw≦18
【請求項４】
前記ズームレンズは、物体は無限から近距離へ移動時、負の屈折力を持つ第２群G2を物体側へ移動させて、フォーカシングを行うことを特徴する請求項１〜３のいずれか一項に記載のズームレンズ。
【請求項５】
前記のズームレンズは、絞りと最も像面側のレンズ群の間の、負の屈折力を持つレンズ群、あるいはレンズ群内の負の屈折力を持つ部分を、光軸と垂直方向の成分を持つように移動させて、手振れ補正を行うことを特徴する請求項１〜４のいずれか一項に記載のズームレンズ。
【手続補正書】
【提出日】平成28年4月21日(2016.4.21)
【手続補正１】
【補正対象書類名】明細書
【補正対象項目名】００１６
【補正方法】変更
【補正の内容】
【００１６】
本発明の第３の態様のプロジェクターは、光源と、光源からの光により画像を形成する画像形成系と、画像形成系が形成した画像を投写する投写系と投写系の出射端面と光源との間の光路の内外で移動する遮光部材を含み、投写系から出射する光の光量を調整する調光装置と、を備え、遮光部材は、透光部および遮光部を有する第１可動部と、透光部を通った光を遮る第２可動部と、を含み、第１可動部において、光源からの光の光強度が相対的に弱い領域から強い領域に向かうにつれて、透光部の分布が密になっている。
【手続補正２】
【補正対象書類名】明細書
【補正対象項目名】００４２
【補正方法】変更
【補正の内容】
【００４２】
第２可動部３１の可動子３１ａは、第１可動部３０の可動子３０ａと対になっており、第１可動部３０の可動子３０ａと連動して移動する。第２可動部３１の可動子３１ａは、均一化光学系１０の光軸１０ａの方向から見た場合に第１可動部３０の可動子３０ａと重なる位置に配置可能である。第２可動部３１の可動子３１ｂは、第１可動部３０の可動子３０ｂと対になっており、可動子３０ｂと連動して移動する。可動子３１ｂと可動子３０ｂとの位置関係は、可動子３１ａと可動子３０ａとの位置関係と同様である。
【手続補正３】
【補正対象書類名】明細書
【補正対象項目名】００６３
【補正方法】変更
【補正の内容】
【００６３】
本実施形態において、放熱板４４は、第２可動部３１の受光面４３に設けられている。そのため、可動子３０ａと可動子３１ａの受光面４３と間のスペースを放熱板４４の配置スペースに利用でき、調光装置４を小型にできる。
【手続補正４】
【補正対象書類名】明細書
【補正対象項目名】００７４
【補正方法】変更
【補正の内容】
【００７４】
本変形例における第２可動部３１は、第１可動部３０と同様に、光源光Ｌの進行方向に対して凹または凸の波形状に折れ曲がっている。第２可動部３１は、光源光Ｌの入射側に向かって凸の凸部５２と、光源光Ｌの入射側に向かって凹の凹部５３とを含む。ここでは、光源光Ｌが遮光部材２５ｇへ入射してくる方向に直交する方向において、第２可動部３１の凸部５２は第１可動部３０の凸部５０と位置がほぼ同じであり、第２可動部３１の凹部５３は第１可動部３０の凹部５１と位置がほぼ同じである。すなわち、第１可動部３０の凸部５０に設けられた開口４２を通った光源光Ｌは、第２可動部３１の凸部５２に入射し、第２可動部３１の凹部５１に設けられた開口４２を通った光源光Ｌは、第２可動部３１の凹部５３に入射する。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
コンピュータを、
施設に設置されている設備で販売されている商品の購入情報を記憶する記憶媒体から前記購入情報を取得する購入情報取得部、
表示部に表示されているアプリケーションの画面を特定するための情報を取得する取得部、
前記取得部が取得した情報が、前記施設を利用する利用者の前記施設の利用状況を管理する管理アプリケーションにおける、精算情報の入力欄を有する所定の画面を特定するための情報と対応する場合に、前記購入情報取得部に前記記憶媒体から前記購入情報を自動的に取得させ、取得された前記購入情報を当該画面に設けられている前記入力欄に入力する購入情報入力部、
として機能させる、入力支援プログラム。
【請求項２】
前記購入情報入力部は、前記所定の画面における前記入力欄の位置を特定し、前記表示部に表示されているカーソルを当該位置まで移動させて前記入力欄を選択させ、前記入力欄に前記購入情報を入力する、
請求項１に記載の入力支援プログラム。
【請求項３】
前記記憶媒体には、前記施設を利用する利用者を識別する利用者識別情報がさらに記憶され、
前記所定の画面には、前記利用者を示す情報が表示され、
前記購入情報入力部は、前記記憶媒体に記憶されている前記利用者識別情報が、前記利用者を示す情報に対応している場合に、前記入力欄に前記購入情報を入力する、
請求項１又は２に記載の入力支援プログラム。
【請求項４】
前記購入情報入力部は、前記取得部が取得した前記情報が前記所定の画面と対応する場合において、当該画面が非アクティブ状態であるとき、当該画面をアクティブ状態に変化させ、当該画面に設けられている前記入力欄に前記購入情報を入力する、
請求項１から３のいずれか１項に記載の入力支援プログラム。
【請求項５】
アプリケーションの画面を表示する表示部と、
施設に設置されている設備で販売されている商品の購入情報を記憶する記憶媒体から前記購入情報を取得する購入情報取得部と、
表示部に表示されているアプリケーションの画面を特定するための情報を取得する取得部、
前記取得部が取得した情報が、前記施設を利用する利用者の前記施設の利用状況を管理する管理アプリケーションにおける、精算情報の入力欄を有する所定の画面を特定するための情報と対応する場合に、前記購入情報取得部に前記記憶媒体から前記購入情報を自動的に取得させ、取得された前記購入情報を当該画面に設けられている前記入力欄に入力する購入情報入力部、
を備える管理装置。
【請求項６】
記憶媒体と、管理装置とを備える管理システムであって、
前記記憶媒体は、施設に設置されている設備で販売されている商品の購入情報を記憶する記憶領域を有し、
前記管理装置は、
アプリケーションの画面を表示する表示部と、
前記記憶媒体から前記購入情報を取得する購入情報取得部と、
表示部に表示されているアプリケーションの画面を特定するための情報を取得する取得部、
前記取得部が取得した情報が、前記施設を利用する利用者の前記施設の利用状況を管理する管理アプリケーションにおける、精算情報の入力欄を有する所定の画面を特定するための情報と対応する場合に、前記購入情報取得部に前記記憶媒体から前記購入情報を自動的に取得させ、取得された前記購入情報を当該画面に設けられている前記入力欄に入力する購入情報入力部、
を有する管理システム。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
設計図に対し付される設計図に関する内容を示すオブジェクトを含む図面を表示する情報処理装置のプログラムであって、
前記情報処理装置を、
図面のチェック対象の項目の一覧を表示する項目一覧表示手段、
前記オブジェクトが前記図面で指定された場合に、前記項目一覧表示手段により表示されている項目と前記指定されたオブジェクトを対応付ける対応付手段、
前記図面で指定されたオブジェクトと他のオブジェクトとを識別可能にすべく、前記対応付手段により対応付けられるオブジェクトの表示状態を変更制御するオブジェクト表示制御手段
として機能させることを特徴とする情報処理装置のプログラム。
【請求項２】
前記情報処理装置を、
前記項目を選択する選択手段として更に機能させ、
前記オブジェクト表示制御手段は、前記選択手段による項目の選択と、前記図面でのオブジェクトの指定がされた場合に、前記項目に対応付けられる前記オブジェクトの表示状態を変更制御することを特徴とする請求項１に記載の情報処理装置のプログラム。
【請求項３】
前記情報処理装置を、
前記対応付手段によりオブジェクトが対応付けられた項目が前記選択手段により選択された場合に、当該項目に対応付けられたオブジェクトを特定する特定手段として更に機能させ、
前記表示制御手段は、前記特定手段により特定されたオブジェクトを前記図面で識別可能に表示状態を変更することを特徴とする請求項２に記載の情報処理装置のプログラム。
【請求項４】
前記対応付手段は、前記図面に新たな前記オブジェクトが追加された場合に、前記選択手段により選択した項目と、当該追加されたオブジェクトとを対応付けることを特徴とする請求項２又は３に記載の情報処理装置のプログラム。
【請求項５】
前記対応付手段により対応付けられた項目とオブジェクトとの情報を出力する出力手段とを備えることを特徴とする請求項１乃至４のいずれか１項に記載の情報処理装置のプログラム。
【請求項６】
前記対応付手段は、前記チェック対象の項目の一覧で項目とオブジェクトとを対応付けることを特徴とする請求項１乃至５のいずれか１項に記載の情報処理装置のプログラム。
【請求項７】
表示レイヤーと非表示レイヤーを有し、設計図に対し付される設計図に関する内容を示すオブジェクトを含む図面を表示する情報処理装置のプログラムであって、
前記情報処理装置を、
図面のチェック対象の項目の一覧を表示する項目一覧表示手段、
前記オブジェクトが前記図面で指定された場合に、前記項目一覧表示手段により表示されている項目と前記指定されたオブジェクトとを対応付ける対応付手段、
前記対応付手段により対応付けられるオブジェクトを表示レイヤーから非表示レイヤーに変更する変更手段、
として機能させることを特徴とする情報処理装置のプログラム。
【請求項８】
設計図に対し付される設計図に関する内容を示すオブジェクトを含む図面を表示する情報処理装置であって、
図面のチェック対象の項目の一覧を表示する項目一覧表示手段と、
前記オブジェクトが前記図面で指定された場合に、前記項目一覧表示手段により表示されている項目と前記指定されたオブジェクトを対応付ける対応付手段と、
前記図面で指定されたオブジェクトと他のオブジェクトとを識別可能にすべく、前記対応付手段により対応付けられるオブジェクトの表示状態を変更制御するオブジェクト表示制御手段と、
を備えることを特徴とする情報処理装置。
【請求項９】
表示レイヤーと非表示レイヤーを有し、設計図に対し付される設計図に関する内容を示すオブジェクトを含む図面を表示する情報処理装置であって、
図面のチェック対象の項目の一覧を表示する項目一覧表示手段と、
前記オブジェクトが前記図面で指定された場合に、前記項目一覧表示手段により表示されている項目と前記指定されたオブジェクトとを対応付ける対応付手段と、
前記対応付手段により対応付けられるオブジェクトを表示レイヤーから非表示レイヤーに変更する変更手段と、
を備えることを特徴とする情報処理装置。
【請求項１０】
設計図に対し付される設計図に関する内容を示すオブジェクトを含む図面を表示する情報処理装置の制御方法であって、
図面のチェック対象の項目の一覧を表示する項目一覧表示ステップと、
前記オブジェクトが前記図面で指定された場合に、前記項目一覧表示ステップで表示されている項目と前記指定されたオブジェクトを対応付ける対応付ステップと、
前記図面で指定されたオブジェクトと他のオブジェクトとを識別可能にすべく、前記対応付ステップで対応付けられるオブジェクトの表示状態を変更制御するオブジェクト表示制御ステップと、
を備えることを特徴とする情報処理装置の制御方法。
【請求項１１】
表示レイヤーと非表示レイヤーを有し、設計図に対し付される設計図に関する内容を示すオブジェクトを含む図面を表示する情報処理装置の制御方法であって、
図面のチェック対象の項目の一覧を表示する項目一覧表示ステップと、
前記オブジェクトが前記図面で指定された場合に、前記項目一覧表示ステップで表示されている項目と前記指定されたオブジェクトとを対応付ける対応付ステップと、
前記対応付ステップで対応付けられるオブジェクトを表示レイヤーから非表示レイヤーに変更する変更ステップと、
を備えることを特徴とする情報処理装置の制御方法。
【手続補正２】
【補正対象書類名】明細書
【補正対象項目名】発明の名称
【補正方法】変更
【補正の内容】
【発明の名称】情報処理装置のプログラム、情報処理装置の制御方法、及び情報処理装置
【手続補正３】
【補正対象書類名】明細書
【補正対象項目名】００１５
【補正方法】変更
【補正の内容】
【００１５】
本発明は、設計図に対し付される設計図に関する内容を示すオブジェクトを含む図面を表示する情報処理装置のプログラムであって、前記情報処理装置を、図面のチェック対象の項目の一覧を表示する項目一覧表示手段、前記オブジェクトが前記図面で指定された場合に、前記項目一覧表示手段により表示されている項目と前記指定されたオブジェクトを対応付ける対応付手段、前記図面で指定されたオブジェクトと他のオブジェクトとを識別可能にすべく、前記対応付手段により対応付けられるオブジェクトの表示状態を変更制御するオブジェクト表示制御手段として機能させることを特徴とする。
【手続補正書】
【提出日】平成28年3月31日(2016.3.31)
【手続補正１】
【補正対象書類名】明細書
【補正対象項目名】０００１
【補正方法】変更
【補正の内容】
【０００１】
本発明は、始動入賞領域への遊技球の入賞に基づいて、複数の変動表示領域で識別情報を変動表示する変動表示ゲームを表示可能な表示部を有する変動表示装置と、複数の変動表示領域における識別情報の停止結果態様として特別結果態様が導出された場合に、遊技者に有利な特別遊技状態を発生可能な遊技機に関する。
【手続補正２】
【補正対象書類名】明細書
【補正対象項目名】０００２
【補正方法】変更
【補正の内容】
【０００２】
遊技の演出として、「○の図柄でリーチをかけろ」等の所定条件を提示し、当該所定条件が満たされれば大当りの可能性が高いことを報知するミッション演出などを実行可能な遊技機が知られている（例えば、特許文献１参照）。
【手続補正３】
【補正対象書類名】明細書
【補正対象項目名】０００４
【補正方法】変更
【補正の内容】
【０００４】
しかしながら、上記特許文献のような遊技機の遊技演出では、特別遊技状態の発生に対する遊技者の期待感を高めることができない。
【手続補正４】
【補正対象書類名】明細書
【補正対象項目名】０００５
【補正方法】変更
【補正の内容】
【０００５】
本発明の目的は、特別遊技状態の発生に対する遊技者の期待感を高めることができる遊技演出を実行可能な遊技機を提供することである。
【手続補正５】
【補正対象書類名】明細書
【補正対象項目名】０００６
【補正方法】変更
【補正の内容】
【０００６】
以上の課題を解決するため、請求項１に記載の発明は、始動入賞領域への遊技球の入賞に基づいて、複数の変動表示領域で識別情報を変動表示する変動表示ゲームを表示可能な表示部を有する変動表示装置と、前記複数の変動表示領域における識別情報の停止結果態様として特別結果態様が導出された場合に、遊技者に有利な特別遊技状態を発生可能な遊技機において、
前記始動入賞領域への遊技球の入賞に基づき、所定の乱数を抽出し前記変動表示ゲームの実行権利となる始動記憶として所定数を上限に記憶する始動入賞記憶手段と、
前記始動入賞記憶手段に始動記憶として記憶される前記乱数を判定する判定手段と、
前記始動入賞記憶手段に始動記憶として記憶される前記乱数を、当該始動記憶に基づく変動表示ゲームが実行されるよりも前に判定する事前判定手段と、
当該遊技機における演出制御を行う演出制御手段と、を備え、
前記演出制御手段は、
前記事前判定手段の判定結果に基づき、前記複数の変動表示領域のうちの所定の変動表示領域における識別情報を、保持表示する識別情報保持表示手段を含み、
前記識別情報保持表示手段は、
保持表示している識別情報を認識可能にする保持表示情報を、当該識別情報に重ねて表示することを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】変更
【補正の内容】
【００１９】
本発明によれば、特別遊技状態の発生に対する遊技者の期待感を高めることができる遊技演出を実行可能な遊技機を提供することができる。
【手続補正１９】
【補正対象書類名】特許請求の範囲
【補正対象項目名】全文
【補正方法】変更
【補正の内容】
【特許請求の範囲】
【請求項１】
始動入賞領域への遊技球の入賞に基づいて、複数の変動表示領域で識別情報を変動表示する変動表示ゲームを表示可能な表示部を有する変動表示装置と、前記複数の変動表示領域における識別情報の停止結果態様として特別結果態様が導出された場合に、遊技者に有利な特別遊技状態を発生可能な遊技機において、
前記始動入賞領域への遊技球の入賞に基づき、所定の乱数を抽出し前記変動表示ゲームの実行権利となる始動記憶として所定数を上限に記憶する始動入賞記憶手段と、
前記始動入賞記憶手段に始動記憶として記憶される前記乱数を判定する判定手段と、
前記始動入賞記憶手段に始動記憶として記憶される前記乱数を、当該始動記憶に基づく変動表示ゲームが実行されるよりも前に判定する事前判定手段と、
当該遊技機における演出制御を行う演出制御手段と、を備え、
前記演出制御手段は、
前記事前判定手段の判定結果に基づき、前記複数の変動表示領域のうちの所定の変動表示領域における識別情報を、保持表示する識別情報保持表示手段を含み、
前記識別情報保持表示手段は、
保持表示している識別情報を認識可能にする保持表示情報を、当該識別情報に重ねて表示することを特徴とする遊技機。
【請求項２】
前記識別情報保持表示手段は、
前記保持表示情報を、複数の前記識別情報に重ねて表示可能であることを特徴とする請求項１に記載の遊技機。
【手続補正書】
【提出日】平成28年4月22日(2016.4.22)
【手続補正１】
【補正対象書類名】明細書
【補正対象項目名】０００６
【補正方法】変更
【補正の内容】
【０００６】
以上の課題を解決するため、請求項１に記載の発明は、
遊技を統括的に制御する遊技制御装置と、
当該遊技制御装置からの指令により遊技に係る演出を制御する従属制御装置と、を備え、異常な磁気の発生を検出する異常磁気検出手段からの検出信号に基づいて所定の異常対応処理が行なわれる遊技機であって、
前記異常磁気検出手段は、
当該異常磁気検出手段の配置環境における磁気状態を、基準磁気状態として記憶可能であるとともに、
前記基準磁気状態と、現時点における当該異常磁気検出手段の配置環境における磁気状態とを比較して、予め定められた許容範囲を外れる相違が検出された場合に前記検出信号として前記異常な磁気が発生したことを示す異常信号を出力可能に構成され、
前記遊技制御装置は、前記異常磁気検出手段によって前記異常信号が出力されたか否かの監視を行うことを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
遊技を統括的に制御する遊技制御装置と、
当該遊技制御装置からの指令により遊技に係る演出を制御する従属制御装置と、を備え、異常な磁気の発生を検出する異常磁気検出手段からの検出信号に基づいて所定の異常対応処理が行なわれる遊技機であって、
前記異常磁気検出手段は、
当該異常磁気検出手段の配置環境における磁気状態を、基準磁気状態として記憶可能であるとともに、
前記基準磁気状態と、現時点における当該異常磁気検出手段の配置環境における磁気状態とを比較して、予め定められた許容範囲を外れる相違が検出された場合に前記検出信号として前記異常な磁気が発生したことを示す異常信号を出力可能に構成され、
前記遊技制御装置は、前記異常磁気検出手段によって前記異常信号が出力されたか否かの監視を行うことを特徴とする遊技機。
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
所定の始動条件が成立したことに基づいて判定遊技を実行可能な判定遊技手段と、
前記判定遊技手段による判定遊技にて特別の結果が得られた場合、遊技者に特典を付与する特典付与手段と、
前記判定遊技手段による判定遊技についての結果情報を、所定の演出表示装置における表示演出によって示すように制御しうる演出制御手段と、
遊技者により操作可能に設けられる操作手段と
を有し、
前記演出制御手段は、
リアルタイムクロック機能を用いて時間情報に関する更新処理を行う時間情報更新手段と、
前記時間情報更新手段による時間情報に基づく第１の演出期間にあるときは、前記判定遊技手段による判定遊技の結果に応じて特定の演出コマンドが取得された場合であっても、該特定の演出コマンドに応じた演出パターン内のうちの予め定められたタイミングにおいて前記操作手段に対する操作を受け付けず特定の操作系表示演出を出現させないように制御する第１の演出制御手段、及び
前記時間情報更新手段による時間情報に基づく第２の演出期間にあるときは、前記判定遊技手段による判定遊技の結果に応じて前記特定の演出コマンドが取得された場合、該特定の演出コマンドに応じた演出パターン内のうちの予め定められたタイミングにおいて前記操作手段に対する操作を受け付けて該操作があったことに基づいて特定の操作系表示演出を出現させるように制御する第２の演出制御手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、
所定の始動条件が成立したことに基づいて判定遊技を実行可能な判定遊技手段と、
前記判定遊技手段による判定遊技にて特別の結果が得られた場合、遊技者に特典を付与する特典付与手段と、
前記判定遊技手段による判定遊技についての結果情報を、所定の演出表示装置における表示演出によって示すように制御しうる演出制御手段と、
遊技者により操作可能に設けられる操作手段と
を有し、
前記演出制御手段は、
リアルタイムクロック機能を用いて時間情報に関する更新処理を行う時間情報更新手段と、
前記時間情報更新手段による時間情報に基づく第１の演出期間にあるときは、前記判定遊技手段による判定遊技の結果に応じて特定の演出コマンドが取得された場合であっても、該特定の演出コマンドに応じた演出パターン内のうちの予め定められたタイミングにおいて前記操作手段に対する操作を受け付けず特定の操作系表示演出を出現させないように制御する第１の演出制御手段、及び
前記時間情報更新手段による時間情報に基づく第２の演出期間にあるときは、前記判定遊技手段による判定遊技の結果に応じて前記特定の演出コマンドが取得された場合、該特定の演出コマンドに応じた演出パターン内のうちの予め定められたタイミングにおいて前記操作手段に対する操作を受け付けて該操作があったことに基づいて特定の操作系表示演出を出現させるように制御する第２の演出制御手段
を有することを要旨とする。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
遊技領域に設けられる受入口への遊技球の受け入れに基づいて抽選を行う抽選手段を有する主制御手段と、所定の表示手段にて行われる演出表示にかかる制御を行う周辺制御手段と、前記抽選の結果に基づいて遊技球の進入が許容される特別領域と、該特別領域内に設けられる特定領域に遊技球を導きうる可動体とを備え、該可動体が作動されることによって前記特定領域に遊技球が受け入れられると遊技者に有利な特典が付与される遊技機であって、
前記主制御手段は、
通常の状態では同じ位置で停止状態とされている前記可動体を、前記抽選の結果が特定の結果であるときに作動させるものであり、該可動体を作動させるときには、同じタイミング且つ同じ態様で作動が開始されるように制御する可動制御手段と、
前記可動体を作動させるときには同じタイミング且つ同じ態様で作動が開始されるなかで、特定の一の受入口への遊技球の受け入れに基づいて行われた前記抽選の結果が前記特定の結果である旨を示す画像が表示されたのちに前記特別領域への遊技球の進入が許容されるパターンとして、前記特定領域への受け入れが容易とされるかたちで前記特別領域への遊技球の進入が許容される有利パターンと、前記特定領域への受け入れが困難とされるかたちで前記特別領域への遊技球の進入が許容される不利パターンとのうち、いずれか一のパターンで前記特別領域への遊技球の進入を許容する進入許容手段と、
前記有利パターンと前記不利パターンとを含む複数のパターンのうち、前記進入許容手段により前記特別領域への遊技球の進入が許容されるパターンを抽選により決定する許容パターン抽選手段と、を有し、
前記周辺制御手段は、
前記特定の一の受入口への遊技球の受け入れに基づいて行われた前記抽選の結果が前記特定の結果であるときには前記有利パターンと前記不利パターンとのうちいずれか一のパターンで前記特別領域への遊技球の進入が許容されるなかで、該特定の結果である旨を示す画像が前記所定の表示手段にて表示されるよう制御するものの該画像からは前記特別領域への遊技球の進入が前記有利パターンと前記不利パターンとのうちいずれで許容されるかを把握困難とする手段を有し、
前記可動体は、前記特定領域に遊技球が導かれるか否かを決定付ける振り分けを行うものであり、
前記受入口は第１の受入口及び第２の受入口を有するとともに、
前記抽選手段は、
前記第１の受入口への遊技球の受け入れに基づいて第１抽選を行う第１抽選手段、及び
前記第２の受入口への遊技球の受け入れに基づいて第２抽選を行う第２抽選手段
を有しており、
前記可動制御手段は、
前記第１抽選の結果に基づいて前記特別領域への遊技球の進入が許容されるときと前記第２抽選の結果に基づいて前記特別領域への遊技球の進入が許容されるときとで、前記可動体を同じタイミング且つ同じ態様で作動が開始されるように制御する手段を有するとともに、
前記進入許容手段は、
前記第１抽選の結果に基づいて遊技球の進入が許容されるときよりも、前記第２抽選の結果に基づいて遊技球の進入が許容されるときの方が、遊技球の進入についての期待値が高くなるように、前記特別領域への遊技球の進入を許容するように構成されてなる
ことを特徴とする遊技機。
【請求項２】
前記抽選手段は、前記受入口への遊技球の受け入れに基づいて乱数を取得し、該取得した乱数を用いて前記抽選を行うものである
請求項１に記載の遊技機。
【請求項３】
所定の発光演出が行われるランプ装置をさらに備える
請求項１または２に記載の遊技機。
【手続補正２】
【補正対象書類名】明細書
【補正対象項目名】０００７
【補正方法】変更
【補正の内容】
【０００７】
請求項１に記載の発明は、遊技領域に設けられる受入口への遊技球の受け入れに基づいて抽選を行う抽選手段を有する主制御手段と、所定の表示手段にて行われる演出表示にかかる制御を行う周辺制御手段と、前記抽選の結果に基づいて遊技球の進入が許容される特別領域と、該特別領域内に設けられる特定領域に遊技球を導きうる可動体とを備え、該可動体が作動されることによって前記特定領域に遊技球が受け入れられると遊技者に有利な特典が付与される遊技機であって、前記主制御手段は、通常の状態では同じ位置で停止状態とされている前記可動体を、前記抽選の結果が特定の結果であるときに作動させるものであり、該可動体を作動させるときには、同じタイミング且つ同じ態様で作動が開始されるように制御する可動制御手段と、前記可動体を作動させるときには同じタイミング且つ同じ態様で作動が開始されるなかで、特定の一の受入口への遊技球の受け入れに基づいて行われた前記抽選の結果が前記特定の結果である旨を示す画像が表示されたのちに前記特別領域への遊技球の進入が許容されるパターンとして、前記特定領域への受け入れが容易とされるかたちで前記特別領域への遊技球の進入が許容される有利パターンと、前記特定領域への受け入れが困難とされるかたちで前記特別領域への遊技球の進入が許容される不利パターンとのうち、いずれか一のパターンで前記特別領域への遊技球の進入を許容する進入許容手段と、前記有利パターンと前記不利パターンとを含む複数のパターンのうち、前記進入許容手段により前記特別領域への遊技球の進入が許容されるパターンを抽選により決定する許容パターン抽選手段と、を有し、前記周辺制御手段は、前記特定の一の受入口への遊技球の受け入れに基づいて行われた前記抽選の結果が前記特定の結果であるときには前記有利パターンと前記不利パターンとのうちいずれか一のパターンで前記特別領域への遊技球の進入が許容されるなかで、該特定の結果である旨を示す画像が前記所定の表示手段にて表示されるよう制御するものの該画像からは前記特別領域への遊技球の進入が前記有利パターンと前記不利パターンとのうちいずれで許容されるかを把握困難とする手段を有し、前記可動体は、前記特定領域に遊技球が導かれるか否かを決定付ける振り分けを行うものであり、前記受入口は第１の受入口及び第２の受入口を有するとともに、前記抽選手段は、前記第１の受入口への遊技球の受け入れに基づいて第１抽選を行う第１抽選手段、及び前記第２の受入口への遊技球の受け入れに基づいて第２抽選を行う第２抽選手段を有しており、前記可動制御手段は、前記第１抽選の結果に基づいて前記特別領域への遊技球の進入が許容されるときと前記第２抽選の結果に基づいて前記特別領域への遊技球の進入が許容されるときとで、前記可動体を同じタイミング且つ同じ態様で作動が開始されるように制御する手段を有するとともに、前記進入許容手段は、前記第１抽選の結果に基づいて遊技球の進入が許容されるときよりも、前記第２抽選の結果に基づいて遊技球の進入が許容されるときの方が、遊技球の進入についての期待値が高くなるように、前記特別領域への遊技球の進入を許容するように構成されてなるものである。
請求項２に記載の発明は、請求項１において、前記抽選手段は、前記受入口への遊技球の受け入れに基づいて乱数を取得し、該取得した乱数を用いて前記抽選を行うものである。
請求項３に記載の発明は、請求項１または２において、所定の発光演出が行われるランプ装置をさらに備えるものである。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
動作可能に設けられた可動部材と、
駆動モータにより前記可動部材を所定位置に保持する第１位置と前記可動部材を作動位置に保持する第２位置の間を回動するギヤ部材と、
前記ギヤ部材の回動力を前記可動部材の動力に変換して該可動部材に伝達する伝達機構と、
前記ギヤ部材及び前記伝達機構を被覆する被覆部材と、
を備え、
前記ギヤ部材と前記伝達機構は、前記ギヤ部材が前記第１位置にあるときに、前記可動部材を前記所定位置から前記作動位置へ移動させようとしても前記ギヤ部材が回動不能とされることで、前記可動部材の前記所定位置からの移動が制限されるように配置され、
前記被覆部材には、前記ギヤ部材を前記第１位置に回動または該第１位置から他の位置に前記駆動モータの駆動によらず回動させるための開口部が形成され、
前記ギヤ部材における前記開口部に対応する位置に該開口部側に向けて突出する突起部を形成し、該突起部を操作することにより前記ギヤ部材を回動可能であり、
前記開口部は、前記ギヤ部材の回動軸を中心とする円の円周に沿う円弧形状に形成されている
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００７
【補正方法】変更
【補正の内容】
【０００７】
前記課題を解決するために、本発明の手段１の遊技機は、
遊技を行うことが可能な遊技機（例えば、パチンコ遊技機１やスロットマシンなど）であって、
動作可能に設けられた可動部材（第１揺動体３１１Ｌ，３１１Ｒや第２揺動体３２１Ｌ，３２１Ｒ、リンク部材３３０Ｌ，３３０Ｒ）と、
駆動モータ（駆動モータ３５０Ｌ，３５０Ｒ）により前記可動部材を所定位置（例えば、退避位置、図１１（Ｃ）に示す第１保持位置）に保持する第１位置（例えば、図１１（Ｃ）に示す第１保持位置）と前記可動部材を作動位置（例えば、演出位置、図１１（Ａ）に示す位置）に保持する第２位置（例えば、図１１（Ａ）に示す第２保持位置）との間を回動するギヤ部材（例えば、従動ギヤ３４０Ｌ，３４０Ｒ）と、
前記ギヤ部材の回動力を前記可動部材の動力に変換して該可動部材に伝達する伝達機構（連結軸３７０Ｌ，３７０Ｒ、連結長孔３６３Ｌ，３６３Ｒ）と、
前記ギヤ部材及び前記伝達機構を被覆する被覆部材（例えば、取付部材３８０Ｌ，３８０Ｒのギヤカバー部３８０ａや背板３０１ａなど）と、
を備え、
前記ギヤ部材と前記伝達機構は、前記ギヤ部材が前記第１位置にあるときに、前記可動部材を前記所定位置から前記作動位置へ移動させようとしても前記ギヤ部材が回動不能とされることで、前記可動部材の前記所定位置からの移動が制限されるように配置され（図１１（Ａ）（Ｃ）中、連結軸３７０Ｌ，３７０Ｒと連結長孔３６３Ｌ，３６３Ｒの周縁との当接位置が、リンク部材３３０Ｒの移動により回動軸３８１に対してかかる負荷方向を示す１点鎖線Ｐ１上またはそれよりも下方位置に位置する）、
前記被覆部材には、前記ギヤ部材を前記第１位置に回動または該第１位置から他の位置（例えば、図１１（Ａ）（Ｃ）の間に示す位置）に前記駆動モータの駆動によらず回動させるための開口部（例えば、切欠部３８２Ｌ，３８２Ｒや長孔３８４Ｌ，３８４Ｒ）が形成され（図１４，図１５参照）、
前記ギヤ部材における前記開口部に対応する位置に該開口部側に向けて突出する突起部を形成し、該突起部を操作することにより前記ギヤ部材を回動可能であり、
前記開口部は、前記ギヤ部材の回動軸を中心とする円の円周に沿う円弧形状に形成されている
ことを特徴としている。
この特徴によれば、ギヤ部材が第１位置において回動不能とされているときでも、開口部からギヤ部材を手動で回動させることが可能となるため、開発・製造時等において可動部材が所定位置にて動作が規制されてしまったり、あるいは、駆動モータを駆動せずに可動部材の動作を規制したい場合、ギヤ部材を駆動モータにより回動させなくても、ギヤ部材を手動により第１位置に回動させることができるため、開発や製造時の作業が容易になる。また、ギヤ部材に手指やドライバー等の工具を引っ掛けやすくなるので、規制の解除操作が容易になる。